(57)【要約】  モータ（４６）を備える遠心機であって、この遠心機は、遠心機外枠（４７）と、重液収集タンク（１８）と、下側中空軸（２２）と、遠心ユニットと、上側中空軸（３８）と、軽液収集タンク（４１）とを有する。、また、重液収集タンクと、下側中空軸と、上側中空軸と、軽液収集タンクとが遠心機外枠に固定される。遠心ユニットが上側中空軸と下側中空軸との間に固定され、モータが上側中空軸に接続されてそれを回転駆動させ、上側中空軸が二つ以上の互いに直列に接続している遠心ユニットに固定されてそれを回転駆動させる。上側中空軸の中空部分と軽液収集タンクとが連通し、遠心ユニットが下側中空軸に固定されてそれを回転駆動させる。重液収集タンクがケースとして遠心機外枠と遠心ユニットとの間に設けられるように構成される。本発明の遠心機は、構成が簡化されて、占有空間が狭く、エネルギー消費量が低く、完全な分離、便利な操作、優れた実用性が達成される。【選択図】図１
2009535189.tif 000002
【特許請求の範囲】
【請求項１】
モータ（４６）を備える遠心機であって、遠心機外枠（４７）と、重液収集タンク（１８）と、下側中空軸（２２）と、遠心ユニットと、上側中空軸（３８）と、軽液収集タンク（４１）との６つの部分を有し、前記重液収集タンク（１８）と、前記下側中空軸（２２）と、前記上側中空軸（３８）と、前記軽液収集タンク（４１）とが前記遠心機外枠（４７）に固定され、前記遠心ユニットが前記上側中空軸（３８）と前記下側中空軸（２２）との間に固定され、前記モータ（４６）が前記上側中空軸（３８）に接続されてそれを回転駆動させ、前記上側中空軸（３８）が二つ以上の互いに直列に接続している前記遠心ユニットに固定されてそれを回転駆動させ、前記上側中空軸（３８）の中空部分と前記軽液収集タンク（４１）とが連通し、二つ以上の互いに直列に接続している前記遠心ユニットが前記下側中空軸（２２）に固定されてそれを回転駆動させ、前記重液収集タンク（１８）がケースとして前記遠心機外枠（４７）と前記遠心ユニットとの間に設けられ、前記遠心機外枠（４７）に固定され、シールによって前記遠心ユニットとの密封が実現されることを特徴とする遠心機。
【請求項２】
各前記遠心ユニットは、遠心チャンバーケース（１）と、遠心チャンバーカバー（２）と、重液絞り弁（３）との３つの部材から構成され、前記遠心チャンバーケース（１）がそれぞれ前記遠心チャンバーカバー（２）と接続して独立のチャンバーを形成し、各前記遠心チャンバーケース（１）に複数の前記重液絞り弁（３）が設けられることを特徴とする請求項１に記載の遠心機。
【請求項３】
前記遠心チャンバーには、前記遠心チャンバーケース（１）と、複数の求心板（１４）と、複数の重液ガイド羽根（１２）とによって囲まれて、複数のシーケンシャルな小チャンバーが形成され、前記求心板（１４）と前記重液ガイド羽根（１２）とが円心を中心として遠心チャンバーを３等分以上に区分けし、その１等分の作業単位を「段」とすると、前記遠心チャンバーのチャンバーの数が３以上になることを特徴とする請求項２に記載の遠心機。
【請求項４】
前記「段」はそれぞれ、分離チャンバー（６）と、重液チャンバー（５）と、分離ガイド孔（８）と、重液ガイド口（４）と、遠心チャンバーケース（１）外部の重液絞り弁（３）とからなることを特徴とする請求項３に記載の遠心機。
【請求項５】
前記軽液チャンバー（７）が、前記求心板（１４）の末端から円心部において、前記遠心チャンバーカバー（２）における軽液ガイド口（１３）に接続され、前記軽液ガイド口（１３）がその上の遠心ユニットの分流チャンバー（９）に接続され、前記分流チャンバー（９）が前記分流管（１０）と連通し、前記分流管（１０）がその上の遠心ユニットの分離ガイド孔（８）と連通し、前記軽液チャンバー（７）が複数の前記求心板（１４）との間に形成される複数の分離チャンバー（６）と連通する円柱形状のチャンバーであり、各前記分離チャンバーの左側求心板（１４）の右側から円心までの３分の２のところに前記分離ガイド孔（８）があり、前記分離チャンバー（６）の最外側の前記求心板（１４）に、前記重液チャンバー（５）へ接続する開口があり、前記重液チャンバー（５）が前記重液ガイド口（４）と連通し、前記重液ガイド口（４）が前記重液絞り弁（３）と連通することを特徴とする請求項１に記載の遠心機。
【請求項６】
前記遠心チャンバーカバー（２）におけるシール溝（１６）が、前記遠心チャンバーケース（１）、前記重液ガイド羽根（１２）、及び前記求心板（１４）の頂部と組み合わせて、前記遠心チャンバーを密閉させるように密封を形成するとともに、前記軽液チャンバー（７）、前記分離チャンバー（６）、前記重液チャンバー（５）が互いに独立しながら連通することを特徴とする請求項２に記載の遠心機。
【請求項７】
前記重液絞り弁（３）はそれぞれ、対応する各前記重液ガイド口（４）に接続されることを特徴とする請求項２に記載の遠心機。
【請求項８】
前記下側中空軸（２２）は中空構造であり、その中空部分が機械的シールチャンバー（４８）と連通し、このシールチャンバーケースにガイド口（３６）が設けられることを特徴とする請求項１に記載の遠心機。
【請求項９】
前記重液収集タンク（１８）は、その頂部が前記重液収集タンクトップカバー（１９）と上側動シール（２０）により前記遠心ユニットと合わせて密封を形成し、その底部が下側動シール（１７）により前記遠心ユニットと合わせて密封を形成することを特徴とする請求項１に記載の遠心機。
【請求項１０】
前記上側中空軸（３８）は中空構造であり、前記遠心チャンバーケース（１）と接続して頂部遠心ユニットというユニットを形成する下側シャーシ（４９）が備えられ、前記上側中空軸（３８）の前記下側シャーシ（４９）の円心部において、前記軽液収集タンク（４１）と連通する前記軽液ガイド口（１３）が設けられることを特徴とする請求項１に記載の遠心機。
【発明の詳細な説明】
【技術分野】
【０００１】
本発明は、遠心機に関し、具体的には、液体を分離する遠心機に関する。
【背景技術】
【０００２】
現在、経済の急速な発展につれて、世界中の大部分の国は、淡水資源不足という共通の問題に直面している。地球表面における３分の２の面積は水に覆われているものの、水の貯蓄量の９７％は海水と塩水で、残りの２．５３％の淡水において、その７７％が地球の両極および高山氷河に分布されていて、人間が直接に利用できる淡水資源は地球上の貯水量の０．７％未満である。
【０００３】
しかしながら、物質形態で存在する水については、例えば、海水は、地球上で少なくない。分離手段によって海水を淡水に転換できれば、人類は水資源不足という問題を根本的に解決できる。現在、世界の１２０あまりの国と地域において、淡水を得るために海水や塩水の淡水化技術が用いられている。
【０００４】
現在、世界で海水の淡水化に用いられる方法は熱法や膜法（蒸留法や逆浸透法とも呼ばれる）である。また、液体分離装置として、それぞれ蒸留法分離設備や逆浸透法分離設備が用いられる。
【０００５】
一、蒸留分離設備：
１、多段フラッシュ蒸留（ＭＳＦ）設備：運転温度、造水比および段数はそれぞれ１２０℃、１０および４０段であり、このような設備では、一定の加熱蒸気を消費する他に、海水の循環と流体の輸送のために４〜５ＫＷｈ／ｍ３の電気エネルギーに相当する淡水が消費されるため、電気消費量がかなり大きい。
【０００６】
２、低温多重効用（ＬＴ-ＭＤＥ）設備：多重効の基で蒸発を行い、温度が８０Ｃ°よりも低く、一般に効用数は１２効用数程度で、造水比が１０よりも大きい。低温多重効用設備では、加熱蒸気を消費するほかに、液体輸送のために１．８ＫＷｈ／ｍ３の電気エネルギーが消費されるので、コストに影響を与える第一の要因は蒸気にあり、次ぎは電力費用であるため、コストが比較的に高い。
【０００７】
二、逆浸透分離設備：
逆浸透法分離設備は、一定の圧力（６０ｋｇ／ｃｍ２）で海水を逆浸透膜に圧入するものであり、このような設備における膜は海水での水分子のみを透過させ、きわめて大部分の塩分子を集めるように構成されて、淡水が得られる。
【０００８】
逆浸透法分離設備は、３〜４ＫＷｈ／ｍ３のエネルギーに相当する淡水が消費されるので、コストに影響を与える第一の要因は電力費用にあり、次ぎは薬品と膜の取替え費用にあるため、製作コストと使用コストのいずれかも比較的に高い。
【０００９】
要するに、上記方法と分離設備において、構成が複雑で、大きなスペースを占める上に、エネルギー消費量が高く、電力費用もかなり高いといった欠点は、改良しなければならない。
【発明の開示】
【００１０】
本発明は、従来技術の問題点に対して、従来の欠陥を克服して液体を十分に分離させることができる遠心機を提供することを目的とする。本発明にかかる遠心機は、装置設備が簡単化され、占有空間が狭くて、エネルギー消費量が低いので一般に比較的低い電力費用で実現されるとともに、完全な分離、便利な操作、優れた実用性が達成される。
【００１１】
本発明にかかる技術提案を、以下説明する。
【００１２】
本発明にかかる遠心機は、モータを備える遠心機であって、遠心機外枠と、重液収集タンクと、下側中空軸と、遠心ユニットと、上側中空軸と、軽液収集タンクとの６つの部分を有する。また、上記重液収集タンクと、上記下側中空軸と、上記上側中空軸と、上記軽液収集タンクとが上記遠心機外枠に固定され、上記遠心ユニットが上記上側中空軸と上記下側中空軸との間に固定される。上記モータが上記上側中空軸に接続されてそれを回転駆動させ、上記上側中空軸が二つ以上の互いに直列に接続している上記遠心ユニットに固定されてそれを回転駆動させる。上記上側中空軸の中空部分と上記軽液収集タンクとが連通し、二つ以上の互いに直列に接続している上記遠心ユニットが上記下側中空軸に固定されてそれを回転駆動させる。上記重液収集タンクがケースとして上記遠心機外枠と上記遠心ユニットとの間に設けられ、上記遠心機外枠に固定され、シールによって上記遠心ユニットとの密封が実現される。遠心機は上記内容を特徴とする。
【００１３】
以上の構成の本発明によれば、各上記遠心ユニットは、遠心チャンバーケースと、遠心チャンバーカバーと、重液絞り弁との３つの部材から構成され、また、上記遠心チャンバーケースがそれぞれ上記遠心チャンバーカバーと接続して独立のチャンバーを形成し、各上記遠心チャンバーケースに複数の上記重液絞り弁が設けられることを特徴とする。
【００１４】
以上の構成の本発明によれば、上記遠心チャンバーには、上記遠心チャンバーケースと、複数の求心板と、複数の重液ガイド羽根とによって複数のシーケンシャルな小チャンバーが囲まれて形成され、上記求心板と上記重液ガイド羽根とが円心を中心として遠心チャンバーを３等分以上に区分けし、その１等分の作業単位を段とすると、上記遠心チャンバーのチャンバーの数が３以上になることを特徴とする。
【００１５】
以上の構成の本発明によれば、上記「段」はそれぞれ、分離チャンバーと、重液チャンバーと、分離ガイド孔と、重液ガイド口と、遠心チャンバーケースの外部の重液絞り弁とからなることを特徴とする。
【００１６】
以上の構成の本発明によれば、上記軽液チャンバーが、上記求心板の末端から円心部において、上記遠心チャンバーカバーにおける軽液ガイド口に連通され、上記軽液ガイド口がその上の遠心ユニットの分流チャンバーに接続され、上記分流チャンバーが上記分流管と連通し、上記分流管がその上の遠心ユニットの分離ガイド孔と連通する。上記軽液チャンバーは、複数の上記求心板との間に形成される複数の分離チャンバーと連通する円柱形状のチャンバーであり、各上記分離チャンバーの左側求心板の右側から円心までの３分の２のところに上記分離ガイド孔があり、上記分離チャンバーの最外側の上記求心板に、上記重液チャンバーへ接続する開口があり、上記重液チャンバーが上記重液ガイド口と連通し、上記重液ガイド口が上記重液絞り弁と連通することを特徴とする。
【００１７】
以上の構成の本発明によれば、上記遠心チャンバーカバーにおけるシール溝が、上記遠心チャンバーケース、上記重液ガイド羽根、及び上記求心板の頂部と組み合わせて、上記遠心チャンバーを密閉させるように密封を形成するとともに、上記軽液チャンバー、上記分離チャンバー、上記重液チャンバーが互いに独立しながら連通することを特徴とする。
【００１８】
以上の構成の本発明によれば、上記重液絞り弁はそれぞれ、対応する各上記重液ガイド口に接続されて、振り出される液体が高濃度の液体であることを確保するために、重液絞り弁により一定量だけの高濃度液体を振り出させることを特徴とする。
【００１９】
以上の構成の本発明によれば、上記下側中空軸は中空構造であり、その中空部分が機械的シールチャンバーと連通し、このシールチャンバーケースにガイド口が設けられることを特徴とする
以上の構成の本発明によれば、さらに、上記重液収集タンクは、その頂部が上記重液収集タンクトップカバーと上側動シールにより上記遠心ユニットと合わせて密封を形成し、その基部が下側動シールにより上記遠心ユニットと合わせて密封を形成することを特徴とする。
【００２０】
以上の構成の本発明によれば、さらに、上記上側中空軸は中空構造であり、上記遠心チャンバーケースと接続して頂部遠心ユニットというユニットを形成する下側シャーシが備えられ、上記上側中空軸の上記下側シャーシの円心部において、上記軽液収集タンクと連通する上記軽液ガイド口が設けられることを特徴とする。ある純度に達した軽液は、上側中空軸の下側シャーシの円心部にある軽液ガイド口を通して、上側中空軸に入って、上側中空軸の上部の軽液排出孔を通りフライホイールに入ってから軽液収集タンクに振り込まれて、組織的に排出される。
【００２１】
以上の構成の本発明によれば、この遠心機の作業原理は、一定の圧力の状態出、混合溶液は水封ケースにおける混合液ガイド口から機械的シールチャンバーに進入する。そして、この機械的シールチャンバーから高速回転している下側中空軸に入って、下側中空軸の上側シャーシの液流入口を通り下側中空軸の上側シャーシと一番目の遠心ユニット底板との間にある分流チャンバーに進入し、且つ分流されてから、下側中空軸の上側シャーシと一番目の遠心ユニット底板との間にある分流管に入る。この分流管を経て一番目の遠心ユニットの各分離チャンバーに導入され、遠心機の高速な回転により、混合液における溶解質が重液チャンバー方向へ浸入する。このように、重液チャンバー内の混合液は、濃度が分離チャンバー内の液体よりも高くなり、重液ガイド口を通して重液絞り弁に入って、一定量の高濃度重液が遠心機から振り出される。これとともに、分離チャンバーにおいて混合液ガイド口に混合液が絶えずに入るため、分離チャンバー中の相対的に軽い軽液が軽液チャンバーに押し込まれて、遠心チャンバーカバーの軽液ガイド口を通して遠心カバー上の分流チャンバーに入って、分流管を経てその上の遠心ユニットに入る。複数のこのような遠心ユニットを経て溶液を何回も精製して所要な純度に達するように、このようなワークフローを繰り返す。上側中空軸の下側シャーシは、この遠心チャンバーの遠心チャンバーカバーとして、最上の遠心チャンバーケースと頂部遠心ユニットを形成することにより、ある純度に達した軽液が上側中空軸の下側シャーシの円心部にある軽液ガイド口を通して、上側中空軸に入って、上側中空軸の上部の軽液排出孔を経てフライホイールへ進入する。、そこから軽液収集タンクに振り込まれて、組織的に排出される。このようにして、軽液を所要な純度に達させるとともに、重液を所要な濃度に達させることができる。
【００２２】
以上の構成の本発明によれば、遠心原理を利用して海水混合液における溶解質を飽和液または過飽和液の形で分離させ、溶液における溶解液を精製する。本発明は液・液分離の遠心機とも言える。本発明は、従来技術の問題点を改良して、液体の十分な分離を実現できる。本発明は、装置設備が簡素化され、占有空間が狭くて、エネルギー消費量が低いので一般に比較的低い電力費用で実現されるとともに、完全な分離、便利な操作、優れた実用性が達成される。
【００２３】
本発明にかかる設備は、海水の淡水化に適用される以外、化工、医薬、環境保護、食品などの技術分野にも適用できる。
【図面の簡単な説明】
【００２４】
以下、添付図面および具体な実施方式を参照して本発明について詳細に説明する。
【図１】図１は本発明にかかる遠心機の全体縦断面図である。
【図２】図２-１は本発明の遠心ユニットの一つの面を示す図であり、図２-２は図２-１の断面図であり、図２-３は図２-１の平面図であり、図２-４は図２-１の底面図である。
【図３】図３-１は本発明の重なり合った複数の遠心ユニットの組合せの構成を示す図であり、図３-２は図３-１の断面図である。
【図４】図４-１は本発明の６段遠心チャンバーを示す図であり、図４-２は本発明の８段遠心チャンバーを示す図であり、図４-３は本発明の１２段遠心チャンバーを示す図であり、図４-４は本発明の７段遠心チャンバーを示す図であり、図４-５は本発明の９段遠心チャンバーを示す図であり、図４-６は本発明の１３段遠心チャンバーを示す図である。
【図５】図５-１は本発明の１２段遠心チャンバーの一つの断面を示す図であり、図５-２は図５-１の側面図であり、図５-３は図５-１の平面図であり、図５-４は図５-１の底面図である。
【図６】図６-１は本発明の遠心チャンバーカバーの一つの断面を示す図であり、図６-２は図６-１の側面図であり、図６-３は図６-１の平面図であり、図６-４は図６-１の底面図である。
【図７】図７-１は下側中空軸が付けられた本体部分の断面図であり、図７-２は本体から分離された後の下側中空軸の断面図であり、図７-３は図７-２の下側中空軸の外観図であり、図７-４は図７-２の下側中空軸の平面図である。
【図８】図８-１は上側中空軸が付けられた本体部分の断面図であり、図８-２は本体から分離された後の上側中空軸の断面図であり、図８-３は図８-２の上側中空軸の外観図であり、図８-４は図８-２の上側中空軸の平面図である。
【００２５】
図９は重液収集タンクが付けられた本体部分の断面図である。
【００２６】
図１０は本発明にかかる遠心機の作用過程を示す図である。
【００２７】
図において、１：遠心チャンバーケース    ２：遠心チャンバーカバー    ３：重液絞り弁    ４：重液ガイド口    ５：重液チャンバー    ６：分離チャンバー    ７：軽液チャンバー    ８：分離ガイド孔    ９：分流チャンバー    １０：分流管    １２：重液ガイド羽根    １３：軽液ガイド口    １４：求心板    １６：遠心チャンバーカバーシール溝    １７：下側動シール    １８：重液収集タンク    １９：重液収集タンクトップカバー    ２０：上側動シール    ２２：下側中空軸    ３６：ガイド口    ３８：上側中空軸    ３９：フライホイール    ４０：軽液収集タンク上蓋    ４１：軽液収集タンク    ４６：モータ    ４７：遠心機外枠    ４８：機械的シールチャンバー    ４９：上側中空軸の下側シャーシ
【発明を実施するための最良の形態】
【００２８】
図１及び図１０に示すように、本発明にかかる遠心機は、モータ４６を備える遠心機であって、遠心機外枠４７、重液収集タンク１８、下側中空軸２２、遠心ユニット、上側中空軸３８および軽液収集タンク４１の６つの部分を有する。また、重液収集タンク１８、下側中空軸２２、上側中空軸３８および軽液収集タンク４１が遠心機外枠４７に固定され、遠心ユニットが上側中空軸３８と下側中空軸２２との間に固定される。モータ４６が上側中空軸３８に接続してそれを回転駆動させ、上側中空軸３８が二つ以上の互いに直列連結されている遠心ユニットに固定されてそれを回転駆動させる。上側中空軸３８の中空部分が軽液収集タンク４１と連通し、二つ以上の互いに直列連結されている遠心ユニットが下側中空軸２２と固定されてそれを回転駆動させる。重液収集タンク１８がケースとして遠心機外枠４７と遠心ユニットとの間に設けられ、遠心機外枠４７に固定され、シールによって遠心ユニットとの密封が実現される。上記内容を特徴とする。
【００２９】
図２-１、図２-２、図２-３、図２-４、図３-１、図３-２に示ように、各遠心ユニットは、遠心チャンバーケース１、遠心チャンバーカバー２および重液絞り弁３との３つの部材から構成され、また、各遠心チャンバーケース１が、それぞれ遠心チャンバーカバー２と接続して独立なチャンバーを形成し、遠心チャンバーケース１毎に幾つかの重液絞り弁３が設置されている。
【００３０】
図４-１、図４-２、図４-３、図４-４、図４-５、図４-６、図５-１、図５-２、図５-３、図５-４、図６-１、図６-２、図６-３、図６-４に示すように、遠心チャンバーには遠心チャンバーケース１、複数の求心板１４、複数の重液ガイド羽根１２から複数のシーケンシャルなチャンバーが囲まれて形成され、求心板１４と重液ガイド羽根１２とが円心を中心として遠心チャンバーを３等分以上に区分けし、その１等分の作業単位を「段」とすると、遠心チャンバーのチャンバーの数が３以上になる。
【００３１】
上述の「段」は、それぞれ分離チャンバー６、重液チャンバー５、分離ガイド孔８、重液ガイド口４及び遠心チャンバーケース１の外部の重液絞り弁３とから構成される。
【００３２】
軽液チャンバー７は求心板１４の末端から円心部まで遠心チャンバーカバー２における軽液ガイド口１３に接続され、軽液ガイド口１３がその上の遠心ユニットの分流チャンバー９に接続され、この分流チャンバー９が分流管１０と連通し、この分流管10がその上の遠心ユニットの分離ガイド孔８と連通する。軽液チャンバー７は、複数の求心板１４の間に形成される複数の分離チャンバー６と連通する円筒状チャンバーであり、各分離チャンバーの左側求心板１４の右側から円心までの３分の２のところに分離ガイド孔８がある。分離チャンバー６の最外端の求心板１４に、重液チャンバー５へ接続する開口が設置され、重液チャンバー５が重液ガイド口４と連通し、重液ガイド口４が重液絞り弁３に接続される。
【００３３】
図６-１、図６-２、図６-３、図６-４に示すように、遠心チャンバーカバー２におけるシール溝１６は、遠心チャンバーケース１、重液ガイド羽根１２、求心板１４の頂部と組み合わせて、遠心チャンバーを密閉させるように密封を形成し、また、軽液チャンバー７、分離チャンバー６、重液チャンバー５が相対的に独立しながら連通するようにする。
【００３４】
図５-１、図５-２、図５-３、図５-４に示すように、各重液絞り弁３は、それぞれ対応する重液ガイド口４に接続されて、振り出される液体が高濃度の液体であることを確保するために、重液絞り弁３により一定量だけの高濃度液体の振り出しを許容する。
【００３５】
図７-１、図７-２、図７-３、図７-４に示すように、下側中空軸２２は中空構成で、その中空部分が機械的シールチャンバー４８と連通する。このシールチャンバーケースにガイド口３６が設置されている。
【００３６】
図１、図７-１、図８-１、図９に示すように、重液収集タンク１８は、重液収集タンクトップカバー１９および上側動シール２０によって、その頂部と遠心ユニットとの密封が実現され、下側動シール１７によって、その底部と遠心ユニットとの密封が実現される。
【００３７】
図１、図８-１、図８-２、図８-３、図８-４、図１０に示すように、上側中空軸３８は、中空構成であり、遠心チャンバーケース１と接続して頂部遠心ユニットというユニットを形成するその下側シャーシ４９が備えられ、上側中空軸３８の下側シャーシ４９の円心部に軽液ガイド口１３が設置され、この軽液ガイド口１３が軽液収集タンク４１と連通している。ある純度に達した軽液は、上側中空軸３８の下側シャーシの円心部にある軽液ガイド口１３を通して、上側中空軸３８に入って、上側中空軸３８の上部の軽液排出孔を経てフライホイール３９に入る。そこから、さらに軽液収集タンク４１に振り込まれて、組織的に排出される。
【図１】
2009535189.tif 000003
【図２−１】
2009535189.tif 000004
【図２−２】
2009535189.tif 000005
【図２−３】
2009535189.tif 000006
【図２−４】
2009535189.tif 000007
【図３−１】
2009535189.tif 000008
【図３−２】
2009535189.tif 000009
【図４−１】
2009535189.tif 000010
【図４−２】
2009535189.tif 000011
【図４−３】
2009535189.tif 000012
【図４−４】
2009535189.tif 000013
【図４−５】
2009535189.tif 000014
【図４−６】
2009535189.tif 000015
【図５−１】
2009535189.tif 000016
【図５−２】
2009535189.tif 000017
【図５−３】
2009535189.tif 000018
【図５−４】
2009535189.tif 000019
【図６−１】
2009535189.tif 000020
【図６−２】
2009535189.tif 000021
【図６−３】
2009535189.tif 000022
【図６−４】
2009535189.tif 000023
【図７−１】
2009535189.tif 000024
【図７−２】
2009535189.tif 000025
【図７−３】
2009535189.tif 000026
【図７−４】
2009535189.tif 000027
【図８−１】
2009535189.tif 000028
【図８−２】
2009535189.tif 000029
【図８−３】
2009535189.tif 000030
【図８−４】
2009535189.tif 000031
【図９】
2009535189.tif 000032
【図１０】
2009535189.tif 000033
【国際調査報告】
2009535189.tif 000034
2009535189.tif 000035
2009535189.tif 000036
2009535189.tif 000037
2009535189.tif 000038
2009535189.tif 000039
2009535189.tif 000040
2009535189.tif 000041